(57)【特許請求の範囲】
【請求項１】
冊子状媒体のめくり対象ページの綴じ部側と自由端縁側を上方から押さえつける一対のめくりローラと、
めくり対象ページの自由端縁側に配置されるめくりローラの回転により湾曲しためくり対象ページを上方から押さえつけるガイド体と、
前記めくりローラの回転軸に所定圧力以上の空転トルク負荷時に空転可能に連結され、めくりローラの回転に伴って回転してガイド体の綴じ部側の側縁部を押さえ、該ガイド体を傾斜姿勢に維持する押さえレバーとを有するページめくり装置。
【発明の詳細な説明】
【０００１】
【発明の属する技術分野】
本発明はページめくり装置に関するものである。
【０００２】
【従来の技術】
金融機関で使用されるＡＴＭ（自動預金支払機）や窓口機において使用されるページめくり装置の従来例を図５に示す。この従来例において、ページめくり装置は駆動ローラである一対のめくりローラ２、２と、回転自在な支持リンク６の先端に揺動自在に枢支されるガイド体３とを備える。通帳（冊子状媒体１）のめくり操作は、図５において左側のめくりローラ２により通帳１を拘束した状態で右側のめくりローラ２を回転させて行われる。ガイド体３は、めくり対象ページ１ａのめくりローラ２への接触圧を高め、さらに、めくりローラ２の頂部を越えためくり対象ページ１ａを跳ね上げるために、めくり対象ページ１ａを上方から押しつける。
【０００３】
【発明が解決しようとする課題】
しかし上述した従来例には以下の欠点がある。すなわち、ページめくり装置は、正逆両方向への搬送に対してページめくり操作が可能なように構成する必要があるために、ガイド体３は、めくり対象ページ１ａが図５（ｂ）に示す膨らみ状態に達した際には、水平姿勢を維持するように配置される。めくり対象ページ１ａの頂部を直下方向に押さえ込んだ状態において、めくり対象ページ１ａには紙葉に沿う力が大きくなり、めくりローラ２の摩耗や劣化等により摩擦係数が低下してくるにつれ通帳１を下方へ押す力がめくりローラ２による摩擦力より大きくなってしまうため、安定したページめくり動作の確保が困難になる。
【０００４】
本発明は、以上の欠点を解消すべくなされたものであって、長期の使用にも信頼性が低下しないページめくり装置の提供を目的とする。
【０００５】
【課題を解決するための手段】
めくりローラ２によるめくり対象ページ１ａのめくり操作に際して、冊子状媒体１はめくりローラ２によりめくり対象ページ１ａの綴じ側を先頭にして所定位置まで搬送される。搬送動作中のめくりローラ２の回転方向は搬送方向により一義的に決定され、冊子状媒体１の綴じ部１ｂ側に位置するめくりローラ２の回転軸４に連結された押さえレバー５は、先端が他のめくりローラ２側、すなわち、めくり対象ページ１ａの自由端縁１ｃ側に回転移動し、ガイド体３の綴じ側辺縁を上方から押さえつける。
【０００６】
一側縁が押さえつけられたガイド体３は、めくり対象ページ１ａの自由端縁１ｃ側で高く、逆側で低くなるように揺動中心周りに揺動してめくり対象ページ１ａを押さえつける。ガイド体３による押さえつけにより、めくり対象ページ１ａの湾曲点は他のめくりローラ２側に移動するために、該めくり対象ページ１ａは他のめくりローラ２、すなわち、めくり操作を行うめくりローラ２に強く押しつけられることとなり、めくり操作の信頼性が向上する。
【０００７】
また、押さえレバー５は、めくりローラ２の回転軸４に対して所定圧力以上の空転トルク負荷時に空転可能に連結されているために、通帳１の搬送途上においてガイド体３に干渉して該ガイド体３を傾斜させた後は、回転軸４に対して空転し、ガイド体３に過大な揺動力を与えることもない。
【０００８】
さらに、めくり操作が終了して通帳１を逆方向に搬送すると、上記押さえレバー５は原位置に復帰し、次のめくり操作を同一条件で行うことができる。
【０００９】
加えて、上述した関係は、通帳１の搬送方向が逆転しても成立するために、正逆いずれの搬送方向を持った搬送路にも適用でき、汎用性が向上する。
【００１０】
【発明の実施の形態】
図１に示すように、ページめくり装置は、２組のめくりローラ対７、７を備える。各めくりローラ対７は、搬送面８を挟んで上方に配置されるめくりローラ２と、従動ローラ７ａとから構成され、めくりローラ２を駆動ローラとして回転駆動することにより、通帳１を所定のめくり位置まで搬送することができる。
【００１１】
ローラ対の中間部で、搬送面８の下方には、めくりローラ対７、７間の中心位置を回転中心とする２個のプレッシャ９が互いに背向方向に配置される。これら各プレッシャ９は搬送面８と平行位置から、図２に示す搬送面８に飛び出す飛び出し位置まで回転駆動することができる。
【００１２】
６は一端が一方のめくりローラ２の上方に回転自在に枢支される支持リンクであり、その他端にはガイド体３が揺動自在に連結される。後述するように、正逆いずれの搬送方向に対しても同一に機能するように、ガイド体３の揺動中心はめくり操作が行われていないときにめくりローラ対７間の中心に位置するように設定される。
【００１３】
さらに、上記各めくりローラ２の回転軸４には、押さえレバー５が連結される。押さえレバー５は、図１（ｂ）に示すように、一端に形成された軸挿通孔５ａを回転軸４に遊嵌させ、かつ、回転基端部の一側壁面を近接する筐体壁面等の非回転部材１０に当接させて回転軸４に装着される。また、押さえレバー５の回転基端部とめくりローラ２との間には、圧縮スプリング１１がめくりローラ２の回転軸４周りに装着され、回転基端部を上記非回転部材１０に圧接させる。
【００１４】
この押さえレバー５は、図１（ａ）に示すように、先端が搬送面８の上方、すなわち、ガイド体３側に位置して同一方向を向くように各めくりローラ２の回転軸４に装着される。
【００１５】
以上のように構成されるページめくり装置の動作を説明する。なお、説明の便宜上、通帳１は各図において右側から左側に搬送されてページめくり操作が行われ、右側のめくりローラ２によりめくり操作が行われる場合を例に取り、右側のめくりローラ２をめくり動作ローラ２Ａ、左側のめくりローラ２を保持ローラ２Ｂとよぶ。
【００１６】
めくり操作は、図４に示すように、膨らませ工程（Ｓ１０）、跳ね上げ工程（Ｓ２０）、および搬送工程（Ｓ３０）の順に実施され、膨らませ工程（Ｓ１０）において、まず、通帳１はめくりローラ対７により綴じ部１ｂが保持ローラ２Ｂを越えるめくり位置まで搬送された後、当該めくり位置まで達したことを図外のセンサが検知すると、めくりローラ対７の動作を停止し、通帳１をめくり位置に停止させる。図１（ａ）に示すように、めくりローラ２の回転運動は、圧縮スプリング１１を介して押さえレバー５に伝達されることから、各めくりローラ２の回転軸４に連結された押さえレバー５は時計回りに回転して、保持ローラ２Ｂ側の押さえレバー５の先端部はめくり対象ページ１ａの上方に移動する。この押さえレバー５は回転動作とともに、やがて回転基端部がガイド体３の保持ローラ２Ｂ側の側縁に、先端部が支持リンク６に設けたストッパ６ａにそれぞれ衝接する。
【００１７】
この状態において、押さえレバー５には、回転抵抗が発生するために、さらに保持ローラ２Ｂが回転しても、圧縮スプリング１１と保持ローラ２Ｂとの境界面、あるいは押さえレバー５と圧縮スプリング１１との境界面でスリップするために、押さえレバー５は回転軸４に対して空転して当該位置を維持する。
【００１８】
以上のようにして通帳１をめくり位置にセットした後、めくり動作ローラ２Ａ側の従動ローラ７ａを下降させて該めくり動作ローラ２Ａ側の拘束を解除し、さらに通帳１の綴じ部１ｂ側を保持ローラ２Ｂと対応する従動ローラ７ａにより拘束する。この後、図２に示すように、めくり動作ローラ２Ａ側のプレッシャ９を搬送面８上に上昇させながら、めくり動作ローラ２Ａを時計回りに回転させると、通帳１は上方にやや湾曲て、めくり動作ローラ２Ａへの押しつけ力が増加し、さらに、めくり動作ローラ２Ａを時計回りに回転させると、めくり対象ページ１ａは自由端が中央に押し出されるながら中央部が上方に湾曲する。なお、図２以下において、図を簡略にするために、当該方向でのめくり操作には使用されないめくり動作ローラ２Ａ側の押さえローラ５の図示を省略する。
【００１９】
めくり対象ページ１ａの湾曲に追随してガイド体３が上方に押し上げられ、図外の透過型センサがＯＦＦになってめくり対象ページ１ａの湾曲の完了を確認すると、めくり動作ローラ２Ａの回転を停止して膨らませ工程が終了する。膨らませ工程においてガイド体３の保持ローラ２Ｂ側の側縁５ｂは回転方向に摩擦力による抵抗を付与された押さえレバー５により押さえられているために、めくり動作ローラ２Ａ側の上昇量が多くなり、ガイド体３は傾斜姿勢となる。この結果、めくり対象ページ１ａはめくり動作ローラ２Ａ側に押しつけられて必要な摩擦力が生じ、めくり操作の信頼性が高められる。
【００２０】
跳ね上げ工程（Ｓ２０）は、プレッシャ９の下降に次いで、めくり動作ローラ２Ａを再び時計回りに回転させて行われる。めくり動作ローラ２Ａの回転により、めくり対象ページ１ａは湾曲曲率をさらに小さくしながら湾曲した後、図３（ａ）に示すように、自由端がめくり動作ローラ２Ａ上に乗り上げる。
【００２１】
跳ね上げ工程（Ｓ２０）の終了は、めくり対象ページ１ａの跳ね上がりに伴ってガイド体３がやや下方に下降し、上記透過型センサはＯＮとなることにより検知され、跳ね上げ工程（Ｓ２０）完了を検知すると、めくり動作ローラ２Ａ側の従動ローラ７ａを原位置に復帰させるとともに、保持ローラ２Ｂ側の拘束を解除し、さらに、通帳１をめくり動作ローラ２Ａ側の自由端縁１ｃを先頭にして右側に搬送する搬送工程（Ｓ３０）を実行する。図３（ｂ）に示すように、搬送工程（Ｓ３０）においてめくり動作ローラ２Ａ上に跳ね上げられためくり対象ページ１ａはめくり動作ローラ２Ａにより押さえつけられるようにして隣接ページ上に重ねられてページめくり動作が完了する。
【００２２】
なお、以上においては、通帳１が右から左に搬送されてめくり位置にセットされ、再び右側に搬送されてページめくりを行う場合を示したが、逆方向での動作も全く同様に行われる。
【００２３】
【発明の効果】
以上の説明から明らかなように、本発明によれば、長期の使用にも信頼性が低下することなく、かつ、構造も簡単になる。
【図面の簡単な説明】
【図１】本発明を示す図で、（ａ）は側面図、（ｂ）は押さえレバーの装着状態を示す断面図である。
【図２】図１の動作を示す図である。
【図３】跳ね上げ工程を示す図で、（ａ）は跳ね上げ工程の断面図、（ｂ）は搬送工程を示す図である。
【図４】本発明の動作を示すフローチャートである。
【図５】従来例を示す図で、（ａ）は通帳をセットした状態、（ｂ）は膨らませ工程を実施した状態を示す側面図である。
【符号の説明】
１        冊子状媒体
１ａ      めくり対象ページ
１ｂ      綴じ部
１ｃ      自由端縁
２        めくりローラ
３        ガイド体
４        回転軸
５        押さえレバー
【図１】
0003743953.tif 000002
【図２】
0003743953.tif 000003
【図３】
0003743953.tif 000004
【図４】
0003743953.tif 000005
【図５】
0003743953.tif 000006